(57)【要約】【課題】安価で豊富なコンテンツデータを、個人が簡単に、時間および場所に制約されることなく提供し、再生することができる情報提供システムを提供する。【解決手段】放送波を受信するチューナ部１０２と、受信した放送波から得られたコンテンツデータを圧縮する圧縮部１０５，１１２と、圧縮部１０５，１１２によって圧縮されたコンテンツデータを記憶する記憶装置１０６と、記憶装置１０６に記憶されたコンテンツデータを伸張して再生信号にする伸張部１１３と、コンテンツデータを出力する出力装置３００に再生信号を出力する外部出力端子１１４と、携行可能な携帯型情報端末からの光信号からなる要求信号を受け、記憶装置１０６に記憶され圧縮されたコンテンツデータを光信号に変換し携帯型情報端末へ送信する赤外線データ送受信部１０７とを有する。【選択図】図３
2010273394.tif 000002
【特許請求の範囲】
【請求項１】
放送波を受信する放送波受信手段と、
受信した放送波から得られたコンテンツデータを圧縮する圧縮手段と、
前記圧縮手段によって圧縮されたコンテンツデータを記憶する記憶手段と、
前記記憶手段に記憶されたコンテンツデータを伸張して再生信号にする伸張手段と、
コンテンツデータを出力する出力装置に前記再生信号を出力する外部出力手段と、
携行可能な携帯型情報端末からの光信号からなる要求信号を受け、前記記憶手段に記憶され圧縮されたコンテンツデータを光信号に変換し当該携帯型情報端末へ送信するデータ送受信手段と
を有する情報提供装置。
【請求項２】
前記圧縮手段は、前記コンテンツデータを第１の圧縮率で圧縮する第１の圧縮手段と、
前記第１の圧縮手段で圧縮されるコンテンツデータと共通のコンテンツデータを前記第１の圧縮率よりも低い第２の圧縮率で圧縮する第２の圧縮手段とを有し、
前記携帯型情報端末にコンテンツデータを提供する場合には、前記第１の圧縮手段で圧縮されたコンテンツデータを読みだして前記データ送受信手段に出力し、前記出力装置に再生信号を出力する場合には、前記第２の圧縮手段で圧縮されたコンテンツデータを読み出し、前記伸張手段により伸張させ、得られた再生信号を前記外部出力手段に出力する
請求項１に記載の情報提供装置。
【請求項３】
前記記憶手段は、前記第１の圧縮手段で圧縮されたコンテンツデータを記憶する第１の記憶手段と、前記第２の圧縮手段で圧縮されたコンテンツデータを記憶する第２の記憶手段とを有し、
前記第１の記憶手段の読み出し速度は、前記第２の記憶手段よりも高速である  請求項２に記載の情報提供装置。
【請求項４】
共通のコンテンツデータの全部を前記第２の圧縮手段で圧縮して前記記憶手段に記憶させ、前記共通のコンテンツデータの一部を前記第１の圧縮手段で圧縮して前記記憶手段に記憶させる管理手段を有する
請求項２に記載の情報提供装置。
【請求項５】
前記管理手段は、前記第１および２の圧縮手段で圧縮されたコンテンツデータに識別情報を付加するとともに、前記第２の圧縮手段で圧縮されたコンテンツデータを再生するか否かの再生選択情報を前記第１の圧縮手段で圧縮されたコンテンツデータに付加し、前記再生選択情報の状態を前記携帯型情報端末からの操作信号に応じて書き換え、前記再生選択情報の状態に応じて前記第２の圧縮手段で圧縮されたコンテンツデータの再生を行う
請求項４に記載の情報提供装置。
【発明の詳細な説明】
【技術分野】
【０００１】
本発明は、テレビジョン放送等の放送波から得られるコンテンツデータを提供する情報提供システムおよび情報提供装置に関する。
【背景技術】
【０００２】
たとえば、特開２００２−１２３４３８号公報には、インターネットに接続された情報提供装置に動画を含む各種コンテンツデータを蓄積しておき、それを赤外線信号などを用いて携帯型端末に高速に転送した後、携帯型端末を用いてコンテンツを再生する技術が開示されている。
また、本願出願人は、テレビ放送波を受信してコンテンツデータをハードディスクに圧縮記録しておき、記録時より後に伸張・再生して、通常のＮＴＳＣ(National Television System Committee)信号を得て、これをテレビジョンモニター、スピーカ等の出力装置から映像や音声の出力を行う、商品名「クリップオン」という商品を商品化している。
さらに、テレビジョンチューナーを備えたパーソナルコンピュータを用いて、テレビジョン放送波を受信してコンテンツデータを着脱型の半導体メモリーに圧縮記録し、その着脱型の半導体メモリーをＰＤＡ(Personal Data Assistant) に装着した後、ＰＤＡを用いてそのコンテンツを再生・伸張して映像・音声出力を行う技術が知られている（２０００年９月２１日発表  シャープ社報道資料）。
【発明の概要】
【発明が解決しようとする課題】
【０００３】
ところで、テレビジョン放送波を受信して得たコンテンツをハードディスクや半導体メモリー等の記録媒体に一旦記録しておき、この記録されたコンテンツをＰＤＡ等の携帯型情報端末において再生できると、時間と場所の制約を受けずにコンテンツを視聴することが可能となる。
上記のコンテンツデータを携帯型情報端末において再生するには、テレビジョン放送波を受信して得たコンテンツデータを、ハードディスクや半導体メモリー等の記録媒体に一旦記録しておき、このコンテンツデータを携帯型情報端末に移しかえる、あるいは、複写する必要がある。
コンテンツデータを携帯型情報端末に移しかえるには、たとえば、半導体メモリーにテレビジョン放送波を受信して得たコンテンツデータを記憶し、この半導体メモリーを携帯型情報端末に装着すればよいが、半導体メモリーを着脱する必要があり、手間がかかるという問題がある。
また、記録媒体に記録したコンテンツデータを赤外線信号に変換し、この赤外線信号を携帯型情報端末で受信することによりコンテンツデータの携帯型情報端末への複写が非接触で可能になるが、コンテンツデータの送受信に長時間を要する可能性がある。
さらに、記録媒体に記録したコンテンツデータを携帯型情報端末へ複写する場合、著作権の観点から、個人的に視聴する以外の複製を防止する必要がある。
【０００４】
本発明は、上記した従来の問題に鑑みて成されたものであって、その目的は、テレビジョン放送等の放送波を受信して得たコンテンツを携帯型情報端末に迅速に提供でき、また、当該コンテンツの個人的な視聴以外の複製を防止できる情報提供システムおよび情報提供装置を提供することにある。
【課題を解決するための手段】
【０００５】
本発明の情報提供装置は、放送波を受信する放送波受信手段と、受信した放送波から得られたコンテンツデータを圧縮する圧縮手段と、前記圧縮手段によって圧縮されたコンテンツデータを記憶する記憶手段と、前記記憶手段に記憶されたコンテンツデータを伸張して再生信号にする伸張手段と、コンテンツデータを出力する出力装置に前記再生信号を出力する外部出力手段と、携行可能な携帯型情報端末からの光信号からなる要求信号を受け、前記記憶手段に記憶され圧縮されたコンテンツデータを光信号に変換し当該携帯型情報端末へ送信するデータ送受信手段とを有する。
【０００６】
好適には、前記圧縮手段は、前記コンテンツデータを第１の圧縮率で圧縮する第１の圧縮手段と、前記第１の圧縮手段で圧縮されるコンテンツデータと共通のコンテンツデータを前記第１の圧縮率よりも低い第２の圧縮率で圧縮する第２の圧縮手段とを有し、前記携帯型情報端末にコンテンツデータを提供する場合には、前記第１の圧縮手段で圧縮されたコンテンツデータを読みだして前記データ送受信手段に出力し、前記出力装置に再生信号を出力する場合には、前記第２の圧縮手段で圧縮されたコンテンツデータを読み出し、前記伸張手段により伸張させ、得られた再生信号を前記外部出力手段に出力する。
【０００７】
本発明の情報提供システムでは、放送波を受信して得られたコンテンツデータが情報提供装置の記憶手段に圧縮して記憶される。このコンテンツデータが携帯型情報端末から要求された場合には、圧縮されたコンテンツデータが光信号に変換され、携帯型情報端末に送信される。
携帯型情報端末では、受信した圧縮されたコンテンツデータを記憶手段に記憶する。この記憶手段に記憶されたコンテンツデータは、伸張され出力手段によって再生される。
【０００８】
本発明の情報提供装置では、放送波を受信して得られたコンテンツデータが情報提供装置の記憶手段に圧縮して記憶される。
このコンテンツデータが携帯型情報端末から要求された場合には、圧縮されたコンテンツデータが光信号に変換され、携帯型情報端末に送信される。
また、コンテンツデータを出力装置で再生する場合には、記憶手段に記憶されたコンテンツデータが伸張されて再生信号となり、これが外部出力手段を通じて出力装置に出力される。
【発明の効果】
【０００９】
本発明によれば、豊富な放送番組の中から好みの番組を選択、記録し、短時間に転送し、ユーザの好みの場所・時間で再生することが可能となる。
また、本発明によれば、長期間安定したコンテンツデータの転送が可能となり、かつ著作権法を遵守することが可能となる。
また、本発明によれば、利用者は場所や時間の制約無く、短時間に数多くの記録済みコンテンツの把握が可能となり、このようなコンテンツの中から好みのものを選択し、後から大画面の出力装置で鑑賞することが可能となる。
【図面の簡単な説明】
【００１０】
【図１】本発明の情報提供システムの一実施形態に係る情報提供装置の構成図である。
【図２】本発明の情報提供システムの一実施形態に係る携帯型情報端末である。
【図３】本発明の他の実施形態に係る情報提供装置の構成図である。
【図４】本発明のさらに他の実施形態に係る情報提供装置の構成図である。
【図５】情報提供装置において記録装置に記録されるコンテンツデータの構成例を説明するための図である。
【図６】情報提供装置において記録装置に記録されるコンテンツデータの他の構成例を説明するための図である。
【発明を実施するための形態】
【００１１】
以下、本発明の実施の形態について図面を参照して説明する。
第１の実施形態
図１は本発明の一実施形態に係る情報提供システムにおける情報提供装置の構成図であり、図２は図１の情報提供装置からコンテンツの提供を受ける携帯型情報端末の構成図である。
本実施形態に係る情報提供システムは、図１に示す情報提供装置１０１と図２に示す携帯型情報端末２０１とを有する。情報提供装置１０１は所定の場所の設置され、携帯型情報端末２０１はユーザにより任意の場所に携行可能になっている。
図１において、情報提供装置１０１は、チューナ部１０３と、制御処理部１０４と、圧縮部１０５と、記憶装置１０６と、赤外線データ送受信部１０７とを有する。
なお、チューナ部１０３は本発明の放送波受信手段の一実施態様であり、圧縮部１０５は本発明の圧縮手段の一実施態様であり、記憶装置１０６は本発明の記憶手段の一実施態様であり、赤外線データ送受信部１０７は本発明の装置側データ送受信手段である。
【００１２】
チューナ部１０３は、アンテナ１０２と接続されている。このアンテナ１０２によってアナログ伝送されるテレビジョン放送波が受信される。アンテナ１０２で受信したテレビジョン放送波をチューナ部１０３が受信し、チューナ部１０３において、選択された番組（チャンネル）のベースバンド信号が得られる。このベースバンド信号は、ディジタル信号に変換され制御処理部１０３に出力され、ビデオ信号とオーディオ信号に分離される。
【００１３】
圧縮部１０５は、制御処理部１０３を経由して入力されたビデオ信号とオーディオ信号からなるコンテンツデータを所定の圧縮方法により圧縮する。圧縮方法は、たとえば、ＭＰＥＧ(Motion Picture Experts Group)２やＭＰＥＧ４のような周知の圧縮・伸張規格に規定された圧縮方法を用いることができる。
【００１４】
記憶装置１０６は、圧縮部１０５で圧縮されたビデオ信号とオーディオ信号からなるコンテンツデータを記憶する。
記憶装置１０６には、ハードディスクドライブ（ＨＤＤ）や半導体メモリーを用いることができるが、後述するように、携帯型情報端末２０１にコンテンツデータを転送する観点からは、読み出し速度が速いＳＤＲＡＭ等の半導体メモリーを用いるのが好ましい。
【００１５】
赤外線データ送受信部１０７は、制御処理部１０４から入力されるデータを赤外線発光ダイオード等の素子を用いて変調し、赤外線信号Ｄａとして送信する。  また、赤外線データ送受信部１０７は、赤外線信号Ｄｂをフォトトランジスタダイオード等の素子を用いて受信、復調して制御処理部１０４に出力する。
なお、赤外線データ送受信部１０７は、データ送信には、たとえば、４８０Ｍｂｐｓ（ビット／秒）程度の高速なデータ転送が可能な素子および変調方式を用い、データ受信には、４Ｍｂｐｓ（ビット／秒）程度のデータ送信時よりも低速のデータ転送を行う素子および変調方式が用いられている。
【００１６】
制御処理部１０４は、情報提供装置１０１を総合的に制御する。具体的には、チューナ部１０３が受信したベースバンド信号を圧縮部１０５に送信したり、記憶装置１０６に記憶されたコンテンツデータを読みだして、赤外線データ送受信部１０７に出力したり、赤外線データ送受信部１０７が受信した信号を受けて所定の処理を行う等の各種処理を行う。
【００１７】
携帯型情報端末２０１は、図２に示すように、赤外線データ送受信部２０２と、制御処理部２０３と、画像音声出力部２０４と、記憶装置２０５と、伸張部２０６と、操作部２０７とを有する。
なお、赤外線データ送受信部２０２は本発明の端末側データ送受信手段の一実施形態であり、画像音声出力部２０４は本発明の出力手段の一実施態様であり、伸張部２０６は本発明の伸張手段の一実施態様であり、記憶装置２０５は本発明の記憶手段の一実施態様である。
【００１８】
赤外線データ送受信部２０２は、情報提供装置１０１の赤外線データ送受信部１０７との間で赤外線信号Ｄａ，Ｄｂの送受信を行う。具体的には、制御処理部２０３から入力されるデータを赤外線発光ダイオード等の素子を用いて変調し、赤外線信号Ｄｂとして送信する。また、赤外線データ送受信部２０２は、情報提供装置１０１からの赤外線信号Ｄａをフォトトランジスタダイオード等の素子を用いて受信、復調し制御処理部２０３に出力する。
【００１９】
記憶装置２０５は、赤外線データ送受信部２０２によって受信した情報提供装置１０１からのコンテンツデータが制御処理部２０３を経由して記憶される。
この記憶装置２０５は、携帯型情報端末２０１の外部からアクセスできないようになっている。このため、記憶装置２０５から読みだされたコンテンツデータは、後述する画像音声出力部２０４にのみ出力される。
記憶装置２０５は、たとえば、半導体メモリーが用いられる。また、記憶装置２０５に記憶されるコンテンツデータは、上記したように圧縮されている。
【００２０】
伸張部２０６は、記憶装置２０５から読みだされたコンテンツデータを情報提供装置１０１側の圧縮方法に対応した伸張方法で伸張する。伸張部２０６で伸張されたビデオ信号およびオーディオ信号からなるコンテンツデータは、制御処理部２０３を経由して画像音声出力部２０４に出力される。
【００２１】
画像音声出力部２０４は、画像表示装置および音声出力装置で構成される。この画像音声出力部２０４は、伸張部２０６で伸張されたビデオ信号およびオーディオ信号を再生し、画像表示および音声出力を行う。
【００２２】
操作部２０７は、再生操作部２０８と、転送内容選択部２０９と、記録内容選択部２１０とを有する。
操作部２０７は、たとえば、携帯型情報端末２０１に設けられた操作ボタンおよび所要の回路で構成される。この操作部２０７のユーザによる操作によって、各種の操作信号が制御処理部２０３に入力される。制御処理部２０３は、入力された操作信号に応じた処理を行う。
【００２３】
再生操作部２０８は、記憶装置２０５に記憶されたコンテンツデータの画像音声出力部２０４による再生を指示する操作信号を制御処理部２０３に与える。
【００２４】
転送内容選択部２０９は、情報提供装置１０１内の記憶装置１０６に記憶されたコンテンツデータのうちどのコンテンツデータを携帯型情報端末２０１に転送させるかを指示する操作信号を制御処理部２０３に与える。この操作信号は、赤外線データ送受信部２０２，１０７を通じて情報提供装置１０１の制御処理部１０４に送られる。
【００２５】
記録内容選択部２１０は、情報提供装置１０１のチューナー部１０３でどのコンテンツデータ（番組）を受信し、記憶装置１０６に記憶させるかを指示する操作信号を制御処理部２０３に与える。この操作信号は、赤外線データ送受信部２０２，１０７を通じて情報提供装置１０１の制御処理部１０４に送られる。
【００２６】
次に、上記構成の情報提供システムにおける情報提供装置１０１から携帯型情報端末２０１へのコンテンツの提供手順の一例について説明する。
まず、ユーザは、携帯型情報端末２０１の転送内容選択部２０９の操作によって、情報提供装置１０１が受信し記憶するコンテンツ（番組）を指示しておく。たとえば、後で視聴したい番組が複数ある場合には、これらをまとめて指示する。
【００２７】
情報提供装置１０１は、携帯型情報端末２０１の転送内容選択部２０９で指定されたコンテンツをチューナ部１０３で受信し、これを制御処理部１０４および圧縮部１０５を通じて圧縮し、記憶装置１０６に記憶する。
【００２８】
ユーザは、情報提供装置１０１の記憶装置１０６に記憶されたコンテンツデータを携帯型情報端末２０１に転送したいときには、まず、情報提供装置１０１に対して携帯型情報端末２０１を赤外線信号で通信可能な場所に配置する。
そして、転送内容選択部２０９を操作し、受信したいコンテンツデータを選択する。これにより、情報提供装置１０１の記憶装置１０６に記憶されたコンテンツデータのうち、選択されたコンテンツデータが圧縮された状態で赤外線データ送受信部１０７，２０２を通じて携帯型情報端末２０１に送信される。
携帯型情報端末２０１に伝送されたコンテンツデータは、携帯型情報端末２０１の記憶装置２０５に記憶される。
【００２９】
ユーザは、携帯型情報端末２０１に伝送されたコンテンツデータを再生して視聴したいときには、再生操作部２０８を操作する。これにより、携帯型情報端末２０１の記憶装置２０５に記憶されたコンテンツデータは、伸張部２０６で伸張されてビデオ信号およびオーディオ信号となり、画像音声出力部２０４に出力され、画像出力および音声出力が行われる。
【００３０】
以上のように、本実施形態では、携帯型情報端末２０１によって視聴したいコンテンツデータを情報提供装置１０１に予め指示しておき、情報提供装置１０１に所望のコンテンツデータを圧縮して記憶させる。この情報提供装置１０１に記憶されたコンテンツデータを携帯型情報端末２０１に複写する際に、コンテンツデータは圧縮されており、かつ、赤外線信号に変換されて携帯型情報端末２０１に伝送される。コンテンツデータが圧縮されてデータ量が縮小していること、および、赤外線伝送技術は通信回線と比べて非常に高速なデータ転送が可能であることから、情報提供装置１０１から携帯型情報端末２０１へのコンテンツデータの伝送を非常に高速に行うことができる。
【００３１】
また、本実施形態によれば、携帯型情報端末２０１の記憶装置２０５に記憶されたコンテンツデータは、画像音声出力部２０４にのみ出力され、外部に出力されることがないため、携帯型情報端末２０１に記憶されたコンテンツデータが容易に複製されるのを防ぐことができ、個人的に視聴する目的以外の目的でコンテンツデータの複製が行われにくくなる。
【００３２】
第２の実施形態
図３は、本発明の他の実施形態に係る情報提供装置の構成図である。なお、図３において、上述した第１の実施形態に係る情報提供装置１０１と同一の構成部分については同一の符号を使用している。
本実施形態に係る情報提供装置１１１と第１の実施形態に係る情報提供装置１０１との間で異なる構成は、第２圧縮部１１２、伸張部１１３および外部出力端子１１４が追加された点である。
なお、圧縮部１０５および第２圧縮部１１２は本発明の第１および第２の圧縮手段の一実施態様であり、伸張部１１３は本発明の伸張手段の一実施態様であり、外部出力端子１１４は本発明の外部出力手段の一実施態様である。
【００３３】
第２圧縮部１１２は、チューナ部１０３で受信したコンテンツデータを圧縮部１０５の圧縮率よりも低い圧縮率で圧縮し、これを記憶装置１０６に記憶する。  具体的には、第２圧縮部１１２は、たとえば、ＭＰＥＧ２の圧縮・伸張規格に規定された圧縮方法で圧縮し、圧縮部１０５はＭＰＥＧ４の圧縮・伸張規格に規定された圧縮方法で圧縮する。
圧縮部１０５および第２圧縮部１１２は、共通のコンテンツデータを圧縮するが、圧縮部１０５で圧縮されたコンテンツデータのデータ量は、第２圧縮部１１２で圧縮されたコンテンツデータのデータ量よりも小さい。
【００３４】
伸張部１１３は、圧縮部１０５および第２圧縮部１１２でそれぞれ圧縮され、記憶装置１０６に記憶されたコンテンツデータのうち、第２圧縮部１１２で圧縮されたコンテンツデータを伸張し、再生信号としてのビデオ信号およびオーディオ信号とし、これを制御処理部１０４に出力する。制御処理部１０４は、このビデオ信号およびオーディオ信号を外部出力端子１１４に出力する。
【００３５】
外部出力端子１１４は、出力装置３００と接続され、この出力装置３００に制御処理部１０４からのビデオ信号およびオーディオ信号を出力する。
出力装置３００は、たとえば、ＣＲＴ装置等の画像表示装置および音声出力装置からなる。
【００３６】
上記構成の情報提供装置１１１は、第１の実施形態に係る携帯型情報端末２０１へコンテンツデータを提供するとともに、コンテンツデータを再生信号として出力装置３００に出力する。
このとき、携帯型情報端末２０１へコンテンツデータを転送する場合には、情報提供装置１１１は、圧縮率の高い圧縮部１０５で圧縮されたコンテンツデータを送信する。
また、出力装置３００でコンテンツデータを視聴する場合には、情報提供装置１１１は、圧縮率の低い第２圧縮部１１２で圧縮されたコンテンツデータを伸張部１１３で伸張して再生信号とし、外部出力端子１１４から出力装置３００へ出力する。
【００３７】
たとえば、ユーザは、時間に余裕がある場合には、家庭内に置かれた出力装置３００でコンテンツデータを視聴する。このとき、出力装置３００に出力されるコンテンツデータは、テレビジョン放送波から得られるコンテンツデータを圧縮率の低い圧縮方式で圧縮したものであるので、画像品質や音声品質が低下せず、高画質の画像、高音質の音声を視聴することができる。
【００３８】
一方、携帯型情報端末２０１へ伝送されるコンテンツデータは高い圧縮率で圧縮されているので、情報提供装置１１１から携帯型情報端末２０１へ非常に短時間でコンテンツデータを伝送することができる。
【００３９】
第３の実施形態
図４は、本発明の第３の実施形態に係る情報提供装置の構成図である。なお、図４において、上述した第２の実施形態に係る情報提供装置１１１と同一の構成部分については同一の符号を使用している。
本実施形態に係る情報提供装置１２１と第２の実施形態に係る情報提供装置１１１との間で異なる構成は、情報提供装置１２１は、情報提供装置１１１の記憶装置１０６に代えて、記憶装置１０６Ａおよび第２記憶装置１０６Ａを有する点である。なお、記憶装置１０６Ａは本発明の第１の記憶手段の一実施態様であり、第２記憶装置１０６Ｂは本発明の第２の記憶手段の一実施態様である。
【００４０】
記憶装置１０６Ａは、圧縮部１０５で圧縮されたコンテンツデータが記憶される。
第２記憶装置１０６Ｂは、第２圧縮部１１２で圧縮されたコンテンツデータが記憶される。
記憶装置１０６Ａは、第２記憶装置１０６Ｂよりも制御処理部１０６によるデータの読み出し速度が速い、たとえば、ＳＤＲＡＭ等の半導体メモリーが用いられる。
第２記憶装置１０６Ｂは、たとえば、ハードディスクドライブ等の半導体メモリーに比べると読み出し速度は遅いが、半導体メモリーよりも大容量のデータを記憶可能で安価な記憶装置が用いられる。
【００４１】
上記のように、携帯型情報端末２０１に伝送するためのコンテンツデータを圧縮する圧縮部１０５で圧縮されたコンテンツデータを記憶装置１０６Ａで記憶することにより、記憶装置１０６Ａのデータ読み出しに要する時間が短縮されるため、上述した第２の実施形態に比べて、情報提供装置１２１から携帯型情報端末２０１へさらに短時間でコンテンツデータを伝送することができる。
一方、第２記憶装置１０６Ｂで記憶されたコンテンツデータは、伸張部１１３で伸張され出力装置３００へ出力される。このとき、第２圧縮部１１２は圧縮部１０５よりも圧縮率が低いため、出力装置３００には高い画質および音質の画像および音声が出力される。
【００４２】
第４の実施形態
本実施形態では、上述した情報提供装置１１１，１２１における制御処理部１０４によるコンテンツデータの管理方法について説明する。
図５は、上述した情報提供装置１１１，１２１において、記憶装置１０６または記録装置１０６Ａ，１０６Ｂに記録されるコンテンツデータの構成例を説明するための図である。なお、本実施形態では、情報提供装置１１１，１２１における制御処理部１０４が本発明の管理手段の一実施態様である。
図５（ａ）は、圧縮部１０５で圧縮されたコンテンツデータ群ＭＣＤ１を示しており、図５（ｂ）は、第２圧縮部１１２で圧縮されたコンテンツデータ群ＭＣＤ２を示している。
【００４３】
コンテンツデータ群ＭＣＤ１およびコンテンツデータ群ＭＣＤ２は、共通のコンテンツデータで構成されているが、コンテンツデータ群ＭＣＤ１はコンテンツデータ群ＭＣＤ２の各コンテンツデータ（各番組Ａ，Ｂ，Ｃ）の一部のみとなっている。
具体的には、制御処理部１０４は、２時間の長さの番組Ａ，Ｂ，Ｃを圧縮部１０５および第２圧縮部１１２で圧縮して記憶させる際に、番組Ａ，Ｂ，Ｃの冒頭の１０分間だけ圧縮部１０５で圧縮させて、残りは記憶させない。一方、制御処理部１０４は、第２圧縮部１１２で２時間の長さの番組Ａ，Ｂ，Ｃの全部を圧縮させて記憶させる。
【００４４】
上記の制御を行うことにより、ユーザは高い圧縮率で圧縮された各コンテンツデータＡ，Ｂ，Ｃの冒頭の一部を携帯型情報端末２０１で迅速に受け取ることができる。また、ユーザは各コンテンツデータＡ，Ｂ，Ｃの冒頭の一部を携帯型情報端末２０１で再生し、内容に興味を持ったときコンテンツデータを出力装置３００で再生することができる。すなわち、情報提供装置１１１，１２１に多数のコンテンツデータを記憶させ、携帯型情報端末２０１でそれらの内容をサーチすることにより、コンテンツデータの取捨選択を場所や時間の制約を受けることなく行うことができる。
【００４５】
第５の実施形態
本実施形態では、上述した情報提供装置１１１，１２１における制御処理部１０４によるコンテンツデータの管理方法の他の例について説明する。
図６は、上述した情報提供装置１１１，１２１において、記憶装置１０６または記録装置１０６Ａ，１０６Ｂに記録されるコンテンツデータの構成例を説明するための図である。
図６（ａ）は、圧縮部１０５で圧縮されたコンテンツデータＣＤ１を示しており、図６（ｂ）は、第２圧縮部１１２で圧縮されたコンテンツデータＣＤ２を示している。
【００４６】
図６に示すように、コンテンツデータＣＤ１は、番組ラベルＳｒ１、後再生フラッグＳｆおよび番組の一部データＣｂからなり、コンテンツデータＣＤ２は番組ラベルＳｒと番組の全データＣａからなる。
番組の一部データＣｂは、番組の全データＣａの冒頭部分のデータである。
なお、番組ラベルＳｒ１，Ｓｒ２は本発明の識別情報の一実施態様であり、後再生フラッグＳｆは本発明の再生選択情報の一実施態様である。
【００４７】
番組ラベルＳｒ１，Ｓｒ２は、コンテンツデータＣＤ１，ＣＤ２を識別するために、制御処理部１０４がデータを圧縮記憶する際にコンテンツデータに付加する情報である。
後再生フラッグＳｆは、第２圧縮部１１２で圧縮されたコンテンツデータを出力装置３００で後で再生するか否かを決定するためのフラグである。制御処理部１０４は、コンテンツデータを圧縮記憶する際に、後再生フラッグＳｆを後で再生しない状態”０”に初期設定する。この後再生フラッグＳｆが”１”となると、圧縮されたコンテンツデータを出力装置３００で再生することを示す。
【００４８】
図６（ａ）に示したようなコンテンツデータＣＤ１が情報提供装置１１１あるいは１２１に記憶された状態で、これらのコンテンツデータをユーザは携帯型情報端末２０１で受け取る。
そして、各コンテンツデータ（番組）の冒頭部分を携帯型情報端末２０１で再生し、後で視聴したいコンテンツの場合には、操作部２０７の操作によって後再生フラッグＳｆを”１”に変更する。
【００４９】
ユーザは、携帯型情報端末２０１から情報提供装置１１１あるいは１２１との間で通信することにより、携帯型情報端末２０１に記録された番組ラベルＳｒ１と後再生フラッグＳｆが情報提供装置１１１あるいは１２１に送られる。
その後、ユーザが再生操作部２０８を操作して後再生を情報提供装置１１１あるいは１２１に指示すると、情報提供装置１１１あるいは１２１の制御処理部１０４は後再生フラッグＳｆ”１”であるコンテンツデータに対応する第２圧縮部１１２で圧縮されたコンテンツデータを出力装置３００で再生する。
【００５０】
上記のようなコンテンツデータの管理を行うことで、ユーザは、たとえば、外出中の空き時等において短時間で番組の冒頭部分を視聴し、予め携帯型情報端末２０１において好きな番組を選択しておき、帰宅したのち、出力装置３００において選択した番組をじっくりと楽しむことができる。このとき、情報提供装置１１１あるいは１２１において番組の選択操作をする必要がない。
【符号の説明】
【００５１】
１０１，１１１，１２１…情報提供措置、１０２…アンテナ、１０３…チューナー部、１０４…制御処理部、１０５…圧縮部、１０６…記憶装置、１０７…赤外線データ送受信部、１１２…第２圧縮部、１１３…伸張部、１１４…外部出力端子、１２２…第２記憶措置、２０１…携帯型情報端末、２０２…赤外線データ送受信部、２０３…制御処理部、２０４…画像音声出力部、２０５…記憶装置、２０６…伸張部、２０７…操作部、２０８…再生操作部、２０９…転送内容選択部、２１０…記録内容選択部、Ｓｒ…番組ラベル、Ｓｆ…後再生フラッグ。
【図１】
2010273394.tif 000003
【図２】
2010273394.tif 000004
【図３】
2010273394.tif 000005
【図４】
2010273394.tif 000006
【図５】
2010273394.tif 000007
【図６】
2010273394.tif 000008